(57)【要約】【課題】複数の外付装置を切り替え、それぞれ独立して使用することが可能な複数の外付装置を有する外付ユニットの提供。【解決手段】機器に接続するためのＵＳＢコネクタ３ａ，４ａをそれぞれ備える複数の独立したＵＳＢメモリ３，４と、複数のＵＳＢメモリ３，４を内蔵する筐体２と、複数のＵＳＢメモリ３，４のＵＳＢコネクタ３ａ，４ａをそれぞれ筐体２の内外へ出し入れ可能にするハンドル５等から構成される出入機構とを有し、各ＵＳＢメモリ３，４はハンドル５の操作によりそのＵＳＢコネクタ３ａ，４ａをそれぞれ筐体２の内外へ出し入れして使用することができる。【選択図】図２
0003164850.tif 000002
【実用新案登録請求の範囲】
【請求項１】
機器に接続するためのインターフェースコネクタ部をそれぞれ備える複数の独立した外付装置と、
前記複数の外付装置を内蔵する筐体と、
前記複数の外付装置のインターフェースコネクタ部をそれぞれ前記筐体の内外へ出し入れ可能にする出入機構と
を有する外付ユニット。
【請求項２】
前記出入機構は、
前記複数の外付装置のインターフェースコネクタ部をそれぞれ前記筐体の内側へ収納する方向に前記複数の外付装置を付勢する付勢手段と、
前記付勢手段の付勢力に抗して前記複数の外付装置の１つのインターフェースコネクタ部を前記筐体の外側へ突出させるハンドルと
を有する請求項１に記載の外付ユニット。
【請求項３】
前記複数の外付装置は、それぞれ前記ハンドル側に傾斜部が形成された押し出し片を備えたものであり、
前記ハンドルは、回転式であり、回転時に前記複数の外付装置の１つの前記押し出し片の傾斜部に摺動することで前記押し出し片を前記付勢手段の付勢力に抗して押し出すものである
請求項２に記載の外付ユニット。
【考案の詳細な説明】
【技術分野】
【０００１】
本発明は、コンピュータやその他の電子機器等の機器に接続して使用する複数の外付装置を有する外付ユニットに関する。
【背景技術】
【０００２】
コンピュータに接続して使用する外付装置として、例えばＵＳＢ（ユニバーサルシリアルバス）メモリが知られている。ＵＳＢメモリは、ＵＳＢインターフェースによってコンピュータと接続し、外付記憶装置として使用できるものである。ＵＳＢメモリは、使用目的に応じて使い分けが容易であり、また安価であるため、非常に多く利用されている。
【０００３】
また、特許文献１に記載のように、ＵＳＢメモリに複数の起動プログラムを格納し、起動プログラムの選択をスライド式スイッチや押しボタン式のスイッチ等により行うことで、使用状況に応じた利用ができるようにした外付記憶装置が知られている。
【０００４】
また、ＵＳＢメモリを使用するためには、接続される側の機器がＵＳＢインターフェースを備えている必要があるが、特許文献１，２に記載のように、ＵＳＢインターフェースとＳＤカードインターフェースやＣＦインターフェースとの２つのインターフェースを備えるメモリカードも知られている。
【先行技術文献】
【特許文献】
【０００５】
【特許文献１】特開２０１０−２６７３０号公報
【特許文献２】実用新案登録第３０９１９２４号公報
【特許文献３】実用新案登録第３０９０６７１号公報
【考案の概要】
【考案が解決しようとする課題】
【０００６】
特許文献１に記載の外付記憶装置は、複数の起動プログラムを備えているが、記憶部は１つのＵＳＢメモリであり、この１つのＵＳＢメモリの中の起動プログラムを切り替えて使用できるようにしているにすぎない。同様に、特許文献２，３に記載のメモリカードでは、２つのインターフェースを備え、また複数のＲＡＭを備えているものの、複数のＲＡＭは共通で用いており、単にインターフェースを切り替えているにすぎない。
【０００７】
そこで、本考案においては、外付記憶装置等の複数の外付装置を切り替え、それぞれ独立して使用することが可能な複数の外付装置を有する外付ユニットを提供することを目的とする。
【課題を解決するための手段】
【０００８】
本考案の外付ユニットは、機器に接続するためのインターフェースコネクタ部をそれぞれ備える複数の独立した外付装置と、複数の外付装置を内蔵する筐体と、複数の外付装置のインターフェースコネクタ部をそれぞれ筐体の内外へ出し入れ可能にする出入機構とを有するものである。本考案の外付ユニットによれば、筐体内には複数のそれぞれ独立した外付装置が内蔵されており、各外付装置は出入機構によりそのインターフェースコネクタ部をそれぞれ筐体の内外へ出し入れして使用することができる。
【０００９】
ここで、出入機構は、複数の外付装置のインターフェースコネクタ部をそれぞれ筐体の内側へ収納する方向に複数の外付装置を付勢する付勢手段と、付勢手段の付勢力に抗して複数の外付装置の１つのインターフェースコネクタ部を筐体の外側へ突出させるハンドルとを有するものであることが望ましい。これにより、複数の外付装置は通常それぞれのインターフェースコネクタ部が筐体の内側へ収納する方向に付勢されており、ハンドルを操作したときに、複数の外付装置の１つのインターフェースコネクタ部が筐体の外側へ突出して使用することが可能となる。
【００１０】
また、複数の外付装置は、それぞれハンドル側に傾斜部が形成された押し出し片を備えたものであり、ハンドルは、回転式であり、回転時に複数の外付装置の１つの押し出し片の傾斜部に摺動することで押し出し片を付勢手段の付勢力に抗して押し出すものであることが望ましい。これにより、回転式のハンドルを回転させると、複数の外付装置の１つの押し出し片が押し出されることで、複数の外付装置の１つのインターフェースコネクタ部が筐体の外側へ突出して使用することが可能となる。
【考案の効果】
【００１１】
（１）機器に接続するためのインターフェースコネクタ部をそれぞれ備える複数の独立した外付装置と、複数の外付装置を内蔵する筐体と、複数の外付装置のインターフェースコネクタ部をそれぞれ筐体の内外へ出し入れ可能にする出入機構とを有することにより、出入機構により各外付装置のインターフェースコネクタ部をそれぞれ筐体の内外へ出し入れして複数の外付装置を切り替え、それぞれ独立して使用することが可能となる。
【００１２】
（２）出入機構が、複数の外付装置のインターフェースコネクタ部をそれぞれ筐体の内側へ収納する方向に複数の外付装置を付勢する付勢手段と、付勢手段の付勢力に抗して複数の外付装置の１つのインターフェースコネクタ部を筐体の外側へ突出させるハンドルとを有するものであることにより、不使用時には複数の外付装置はそれぞれのインターフェースコネクタ部が筐体の内側へ収納されており見た目が良く、使用時にはハンドルを操作して容易にインターフェースコネクタ部を筐体の外側へ突出させて使用することができる。
【００１３】
（３）複数の外付装置が、それぞれハンドル側に傾斜部が形成された押し出し片を備えたものであり、ハンドルが、回転式であり、回転時に複数の外付装置の１つの押し出し片の傾斜部に摺動することで押し出し片を付勢手段の付勢力に抗して押し出すものであることにより、回転式のハンドルを回転させるという簡単な操作により、複数の外付装置の１つのインターフェースコネクタ部を筐体の外側へ突出して使用することができる。
【図面の簡単な説明】
【００１４】
【図１】本考案の実施の形態における外付ユニットの斜視図である。
【図２】図１の外付ユニットをインターフェースコネクタ部側からみた斜視図である。
【図３】図１の外付ユニットの使用状態を示す図であって、（ａ）は第１の外付装置の使用状態を示す斜視図、（ｂ）は第２の外付装置の使用状態を示す斜視図である。
【図４】図１の外付ユニットの一部を断面で示した平面図であって、（ａ）は図２の状態における図、（ｂ）は図３（ａ）の状態における図である。
【図５】図１の外付ユニットの筐体を示す図であって、（ａ）は一部を断面で示した平面図、（ｂ）は右側面図である。
【図６】図１の第１の外付装置を示す図であって、（ａ）は平面図、（ｂ）は右側面図である。
【図７】図１のハンドルを裏側からみた斜視図である。
【考案を実施するための形態】
【００１５】
図１は本考案の実施の形態における外付ユニットの斜視図、図２は図１の外付ユニットをインターフェースコネクタ部側からみた斜視図である。図３は図１の外付ユニットの使用状態を示す図であって、（ａ）は第１の外付装置の使用状態を示す斜視図、（ｂ）は第２の外付装置の使用状態を示す斜視図である。図４は図１の外付ユニットの一部を断面で示した平面図であって、（ａ）は図２の状態における図、（ｂ）は図３（ａ）の状態における図である。図５は図１の外付ユニットの筐体を示す図であって、（ａ）は一部を断面で示した平面図、（ｂ）は右側面図である。図６は図１の第１の外付装置を示す図であって、（ａ）は平面図、（ｂ）は右側面図である。図７は図１のハンドルを裏側からみた斜視図である。なお、以下の説明において、図４〜図６の左側を前方、右側を後方とする。
【００１６】
図１から図３に示すように、本考案の実施の形態における外付ユニット１は、筐体２内に第１および第２の外付装置としての２つのＵＳＢメモリ３，４を内蔵したものである。２つのＵＳＢメモリ３，４は、筐体２の後方に設けられたハンドル５を左回りまたは右回りに回転させることで、いずれか一方のＵＳＢメモリ３，４が筐体２の外部へ一部突出し、使用することができるようになっている。
【００１７】
ＵＳＢメモリ３，４は、ＵＳＢを用いてコンピュータ等の電子機器に接続してデータの読み書きを行う補助記憶装置である。ＵＳＢメモリ３，４は、電子機器に接続するためのインターフェースコネクタ部としてのＵＳＢコネクタ３ａ，４ａをそれぞれ備えている。また、図示しないが、ＵＳＢメモリ３，４の本体部３ｂ，４ｂ内には、それぞれＵＳＢコントローラやメモリチップ等が内蔵されており、ＵＳＢメモリ３，４はそれぞれ独立して動作する。
【００１８】
図２に示すように、筐体２は、ＵＳＢメモリ３，４のＵＳＢコネクタ３ａ，４ａが出入りするための２つの開口部２０ａ，２０ｂを有している。また、図４に示すように、筐体２内には付勢手段としてのスプリング６を備えている。スプリング６は、筐体２内の中途部に設けられた壁部２１と、ＵＳＢメモリ３，４の本体部３ｂ，４ｂの後方に設けられた鍔部３ｃ，４ｃとの間にそれぞれ配設されており、ＵＳＢコネクタ３ａ，４ａをそれぞれ筐体２の内側へ収納する方向にＵＳＢメモリ３，４を付勢している。
【００１９】
また、筐体２の後方の壁部２２の中心部には、ハンドル５を回転可能に軸支する軸部２３が設けられている。また、壁部２２には、ＵＳＢメモリ３，４の鍔部３ｃ，４ｃの後方に設けられた押し出し片３ｄ，４ｄがそれぞれ貫通する開口部２４ａ，２４ｂが設けられている。押し出し片３ｄは、図６に示すように湾曲しており、開口部２４ａもこれに対応する形状に湾曲している。なお、図示しないが、押し出し片４ｄは、図６（ｂ）に対して左右逆方向に湾曲しており、開口部２４ｂはこれに対応する形状に湾曲している。また、押し出し片３ｄ，４ｄのハンドル５側には、それぞれ傾斜部３ｅ，４ｅが形成されている。
【００２０】
図７に示すように、ハンドル５には、筐体２の後方壁部２２の軸部２３に回転可能に嵌め込まれる軸受部５０と、このハンドル５の左右の回転時にそれぞれ押し出し片３ｄ，４ｄの傾斜部３ｅ，４ｅに当接して摺動するリブ５１ａ，５１ｂとが設けられている。リブ５１ａ，５１ｂは、ハンドル５の左右への回転時に、押し出し片３ｄ，４ｄの傾斜部３ｅ，４ｅの一方に摺動して押し出し片３ｄ，４ｄをスプリング６の付勢力に抗して押し出すことにより、ＵＳＢコネクタ３ａ，４ａを筐体２の外側へ突出させる。
【００２１】
一方、ハンドル５を元の位置に回転させた場合には、スプリング６の付勢力によってＵＳＢメモリ３，４は筐体２の内側へ押圧され、ＵＳＢコネクタ３ａ，４ａは筐体２の内側へ収納される。このようにハンドル５と、スプリング６と、押し出し片３ｄ，４ｄとは、ＵＳＢコネクタ３ａ，４ａを筐体２の内外へ出し入れ可能にする出入機構を構成している。
【００２２】
上記構成の外付ユニット１では、図３（ａ）に示すようにハンドル５を右回りに回転させると、ハンドル５の一方のリブ５１ａによって、ＵＳＢメモリ３の押し出し片３ｄが押し出され、一方のＵＳＢメモリ３のＵＳＢコネクタ３ａが筐体２の外側へ突出する。このとき、ハンドル５の他方のリブ５１ｂは他方のＵＳＢメモリ４の押し出し片４ｄには当接しないので、このＵＳＢメモリ４は筐体２の内側に収納されたままであり、外側へは突出しない。
【００２３】
一方、図３（ｂ）に示すようにハンドル５を左周りに回転させると、ハンドル５の一方のリブ５１ｂによって、ＵＳＢメモリ４の押し出し片４ｄが押し出され、一方のＵＳＢメモリ４のＵＳＢコネクタ４ａが筐体２の外側へ突出する。このとき、ハンドル５の他方のリブ５１ａは他方のＵＳＢメモリ３の押し出し片３ｄには当接しないので、このＵＳＢメモリ３は筐体２の内側に収納されたままであり、外側へは突出しない。
【００２４】
すなわち、本実施形態における外付ユニット１では、ハンドル５の回転によって１つのＵＳＢメモリ３またはＵＳＢメモリ４が筐体２の外側へ突出する。そして、これらのＵＳＢメモリ３，４はそれぞれ独立して動作するものであるため、ハンドル５の回転により完全に切り替えてそれぞれ独立して使用することが可能である。
【００２５】
なお、本実施形態においては、外付装置として２つのＵＳＢメモリ３，４が内蔵されたものについて説明したが、ＵＳＢメモリ以外にも他の異なる規格のメモリカード、充電器や通信装置等の外付装置を内蔵することも可能である。また、内蔵する外付装置については、２つ以上とすることも可能である。さらに、内蔵する外付装置については、同じものを複数内蔵したり、異なるものを内蔵したりすることも可能である。
【００２６】
また、本実施形態における外付ユニット１では、ハンドル５の操作により複数のＵＳＢメモリ３，４のうちの１つのＵＳＢコネクタ３ａまたはＵＳＢコネクタ４ａが筐体の外側へ突出して使用することが可能になるとともに、不使用時にはハンドル５の操作によりＵＳＢコネクタ３ａ，４ａが筐体２の内側へ収納されるので見た目が良い。
【００２７】
また、本実施形態における外付ユニット１では、ハンドル５を回転式としているため、ハンドル５を回転させるという簡単な操作により、複数のＵＳＢメモリ３，４のうちの１つのＵＳＢコネクタ３ａまたはＵＳＢコネクタ４ａを筐体２の外側へ突出させて使用することが可能であるが、スライド式のハンドルにより出入機構を構成することも可能である。
【産業上の利用可能性】
【００２８】
本考案の外付ユニットは、コンピュータやその他の電子機器等の機器に接続して使用するＵＳＢメモリ等の複数の外付装置を有する外付ユニットとして有用である。
【符号の説明】
【００２９】
１  外付ユニット
２  筐体
２０ａ，２０ｂ  開口部
２１，２２  壁部
２３  軸部
２４ａ，２４ｂ  開口部
３，４  ＵＳＢメモリ
３ａ，４ａ  ＵＳＢコネクタ
３ｂ，４ｂ  本体部
３ｃ，４ｃ  鍔部
３ｄ，４ｄ  押し出し片
３ｅ，４ｅ  傾斜部
５  ハンドル
５０  軸受部
５１ａ，５１ｂ  リブ
６  スプリング
【図１】
0003164850.tif 000003
【図２】
0003164850.tif 000004
【図３】
0003164850.tif 000005
【図４】
0003164850.tif 000006
【図５】
0003164850.tif 000007
【図６】
0003164850.tif 000008
【図７】
0003164850.tif 000009
【手続補正書】
【提出日】平成22年10月18日(2010.10.18)
【手続補正１】
【補正対象書類名】実用新案登録請求の範囲
【補正対象項目名】全文
【補正方法】変更
【補正の内容】
【実用新案登録請求の範囲】
【請求項１】
機器に接続するためのインターフェースコネクタ部および傾斜部が形成された押し出し片をそれぞれ備える複数の独立した外付装置と、
前記複数の外付装置を内蔵する筐体と、
前記複数の外付装置のインターフェースコネクタ部をそれぞれ前記筐体の内側へ収納する方向に前記複数の外付装置を付勢するスプリングと、
左回りまたは右回りに回転させた際に前記複数の外付装置の１つの前記押し出し片の傾斜部に当接して摺動するリブを備えた回転式のハンドルであり、左回りまたは右回りに回転させた際に前記リブが前記複数の外付装置の１つの前記押し出し片の傾斜部に摺動して前記押し出し片を前記スプリングの付勢力に抗して押し出すことにより、前記複数の外付装置の１つのインターフェースコネクタ部を前記筐体の外側へ突出させるとともに、元の位置へ回転させた際には前記スプリングの付勢力によって前記複数の外付装置が内側へ押圧され、前記複数の外付装置を前記筐体の内部へ収納させるハンドルと
を有する外付ユニット。